(57)【特許請求の範囲】
【請求項１】
少なくとも投入された遊技媒体が正規なものであるか否かを判別するセレクタと、前記セレクタから排出された前記遊技媒体を受け皿に導く排出手段と、
を備えた遊技台であって、
前記排出手段は、
前記遊技媒体を受け入れる受入部と、
前記受け皿に前記遊技媒体を排出する排出部と、
前記受入部と前記排出部を連通し、前記受入部より受け入れた遊技媒体を斜め下方に落下させながら所定の落下経路に沿って前記排出部に導く案内通路と、
を備え、
前記案内通路における上面には、前記排出部から前記案内通路の中に挿入されたゴト器具の先端が進入可能な開口が複数形成されており、
前記開口は、該開口の断面が、前記ゴト器具の先端を前記案内通路から外側に導く傾斜面とされている、
ことを特徴とする遊技台。
【請求項２】
少なくとも投入された遊技媒体が正規なものであるか否かを判別するセレクタと、前記セレクタから排出された前記遊技媒体を受け皿に導く排出手段と、
を備えた遊技台であって、
前記排出手段は、
前記遊技媒体を受け入れる受入部と、
前記受け皿に前記遊技媒体を排出する排出部と、
前記受入部と前記排出部を連通し、前記受入部より受け入れた遊技媒体を斜め下方に落下させながら所定の落下経路に沿って前記排出部に導く案内通路と、
を備え、
前記案内通路は複数の壁面で構成されており、
前記案内通路における壁面には、前記排出部から前記案内通路の中に挿入されたゴト器具の先端が進入可能な開口が複数形成されており、
前記案内通路における少なくとも一つの前記壁面において、前記開口が設けられている領域は、前記開口以外の領域より広い、
ことを特徴とする遊技台。
【発明の詳細な説明】
【技術分野】
【０００１】
本発明は、スロットマシン、パチンコ機等に代表される遊技台に関する。
【背景技術】
【０００２】
従来、スロットマシンなどの遊技台では、遊技の開始に際してメダルなどの遊技媒体を投入して賭け操作を行い、遊技の結果入賞が発生した場合は、払出操作が作動してメダル受け皿に所定数の遊技媒体が払い出されるのが一般的である。更には、投入される遊技媒体の中には、不正な遊技媒体であったり、また遊技媒体以外のものが投入されることもあり、正規な遊技媒体と、それ以外の投入物とを選別する所謂セレクタを搭載して、正規な遊技媒体であれば賭け操作やクレジット機能を作動させるが、非正規な投入物であった場合は、キャンセルシュートと呼ばれる案内通路を経由させてメダル受け皿に排出する機能を持たせている。（例えば特許文献１）。
【先行技術文献】
【特許文献】
【０００３】
【特許文献１】特開２００６−１９８０８９号公報
【発明の概要】
【発明が解決しようとする課題】
【０００４】
ところが、メダル受け皿に接続されているキャンセルシュートの排出口から針金などのゴト（不正）器具を挿入し、針金の先端部をキャンセルシュート内の側壁に沿わせてセレクタまで誘導し、セレクタを誤動作させるという不正行為が行われることがあった。
【０００５】
本発明は、以上の問題に鑑み、不正行為がし難い遊技台を提供することにある。
【課題を解決するための手段】
【０００６】
上記目的を達成するため、本発明に係る遊技台は、少なくとも投入された遊技媒体が正規なものであるか否かを判別するセレクタと、前記セレクタから排出された前記遊技媒体を受け皿に導く排出手段と、を備えた遊技台であって、前記排出手段は、前記遊技媒体を受け入れる受入部と、前記受け皿に前記遊技媒体を排出する排出部と、前記受入部と前記排出部を連通し、前記受入部より受け入れた遊技媒体を斜め下方に落下させながら所定の落下経路に沿って前記排出部に導く案内通路と、を備え、前記案内通路における上面には、前記排出部から前記案内通路の中に挿入されたゴト器具の先端が進入可能な開口が複数形成されており、前記開口は、該開口の断面が、前記ゴト器具の先端を前記案内通路から外側に導く傾斜面とされている、ことを特徴とする。
【発明の効果】
【０００７】
以上のように、本発明では、不正に強い遊技台を提供できる。
【図面の簡単な説明】
【０００８】
【図１】スロットマシンの外観を示す斜視図である。
【図２】スロットマシンの内観図である。
【図３】スロットマシンの制御ブロック図である。
【図４】前面扉の背面図である。
【図５】キャンセルシュートの斜視図である。
【図６】（ａ）キャンセルシュートの上面図である。（ｂ）キャンセルシュートの正面図である。（ｃ）キャンセルシュートの側面図である。
【図７】（ａ）キャンセルシュートのＡ−Ａ断面図である。（ｂ）ゴト器具の誘導方法を示す図である。
【図８】（ａ）キャンセルシュートの側面図である。（ｂ）キャンセルシュートのＢ−Ｂ断面図である。
【図９】（ａ）キャンセルシュートの背面図である。（ｂ）キャンセルシュートのＣ−Ｃ断面図である。
【図１０】（ａ）案内通路上面部穴部の拡大図である。（ｂ）案内通路上面部穴部の拡大図である。
【図１１】案内通路上面部穴部及び案内通路側面部穴部の拡大図である。
【図１２】穴部の変形例を示した図である。
【発明を実施するための形態】
【０００９】
以下、本発明の実施の形態について図面を用いて説明する。
【００１０】
図１に示すスロットマシン１００は、本体１０１と、本体１０１の正面に取付けられ、本体１０１に対して開閉可能な前面扉１０２と、を備える。本体１０１の中央内部には、外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１１】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１２】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１３】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを有効な入賞ラインとして有効として設定してもよく、ベット数に関係なく、一律に同一数の入賞ラインを有効な入賞ラインとして設定してもよい。
【００１４】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１５】
ベットボタン１３１、１３２は、スロットマシン１００に電子的に貯留されているメダル（クレジットという）を所定の枚数分投入するためのボタンである。本実施形態においては、ベットボタン１３１が押下される毎に１枚ずつ最大３枚まで投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１６】
メダル投入口１４１は、遊技を開始するに当たって遊技者がメダルを投入するための投入口である。すなわち、メダルの投入は、ベットボタン１３１、１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（１４Ｇ）表示器とした。
【００１７】
スタートレバー１３５は、リール１１０乃至１１２の回転を開始させるためのレバー型のスイッチである。即ち、メダル投入口１４１に所望するメダル枚数を投入するか、ベットボタン１３１、１３２を操作して、スタートレバー１３５を操作すると、リール１１０乃至１１２が回転を開始することとなる。スタートレバー１３５に対する操作を遊技の開始操作と言う。
【００１８】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００１９】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２０】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２１】
音孔１４３はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（図示省略、演出画像表示装置）を備えており、右シャッタ１６３ａ、左シャッタ１６３ｂが液晶表示装置１５７の手前で水平方向外側に開くと液晶表示装置１５７（図示省略）の表示画面がスロットマシン１００正面（遊技者側）に出現する構造となっている。なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２２】
図２は、前面扉を開けた状態のスロットマシン１００を示す正面図である。筐体１０１は、上面板２６１、左側の側面板２６０、右側の側面板２６０、下面板２６４および背面板２４２で囲われ、前面に開口する箱体である。筐体１０１の内部には、背面板２４２の上部に設けた通風口２４９と重ならない位置に、内部に主制御基板を収納した基板ケース２１０が配置され、この基板ケース２１０の下方に、３つのリール１１０乃至１１２が配置されている。基板ケース２１０及びリール１１０乃至１１２の側方、即ち向って左側の側面板２６０には、内部に副制御基板を収納した副制御基板収納ケース２２０が配設してある。また、向かって右側の側面板２６０には、主制御基板に接続されて、スロットマシン１００の情報を外部装置に出力する外部集中端子板２４８が取り付けられている。
【００２３】
そして、下面板２６４には、メダル払出装置１８０（バケットに溜まったメダルを払出す装置）が配設され、このメダル払出装置１８０の上方、即ちリール１１０乃至１１２の下方には、電源基板を有する電源装置２５２が配設され、電源装置２５２正面には電源スイッチ２４４を配設している。電源装置２５２は、スロットマシン１００に外部から供給される交流電源を直流化し、所定の電圧に変換して主制御部３００、第１副制御部４００等の各制御部、各装置に供給する。さらには、外部からの電源が断たれた後も所定の部品（例えば主制御部３００のＲＡＭ３０８等）に所定の期間（例えば１０日間）電源を供給するための蓄電回路（例えばコンデンサ）を備えている。
【００２４】
メダル払出装置１８０の右側には、メダル補助収納庫２４０が配設してあり、この背後にはオーバーフロー端子が配設されている（図示省略）。電源装置２５２には、電源コード２６８を接続する電源コード接続部が設けられ、ここに接続された電源コード２６８が、筐体１０１の背面板２４２に開設した電源コード用穴２６２を通して外部に延出している。
【００２５】
前面扉１０２は、筐体１０１の左側の側面板２６０にヒンジ装置２７６を介して蝶着され、図柄表示窓１１３の上部には、演出装置１６０、および、この演出装置１６０を制御する演出制御基板（図示省略）、上部スピーカ２７２、を設けている。図柄表示窓１１３の下部には、投入されたメダルを選別するためのメダルセレクタ１７０、このメダルセレクタ１７０が不正なメダル等をメダル受け皿１６１に落下させる際にメダルが通過するキャンセルシュート（排出路）７０１等を設けている。さらに、音孔１４３に対応する位置には低音スピーカ２７７を設けている。また図柄表示窓の下方には、各種演出装置への配線を中継する中継端子板２７９が設けられている。また、前面扉１０２の左端には、縦長形状の施錠装置２８０が設けられている。
【００２６】
次に図３を用いて、スロットマシン１００の制御部の制御部の回路構成について詳細に説明する。なお、同図は制御部の回路ブロック図を示したものである。
【００２７】
スロットマシン１００の制御部は、大別すると、遊技の進行を制御する主制御部３００と、主制御部３００が送信するコマンド信号（以下、単に「コマンド」と呼ぶ）に応じて、主な演出の制御を行う第１副制御部４００と、第１副制御部４００より送信されたコマンドに基づいて各種機器を制御する第２副制御部５００と、によって構成されている。
【００２８】
まず、スロットマシン１００の主制御部３００について説明する。主制御部３００は、主制御部３００の全体を制御する基本回路３０２を備えており、この基本回路３０２には、ＣＰＵ３０４と、制御プログラムデータ、入賞役の内部抽選時に用いる抽選データ、リールの停止位置等を記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２を搭載している。なお、ＲＯＭ３０６やＲＡＭ３０８については他の記憶装置を用いてもよく、この点は後述する第１副制御部４００についても同様である。この基本回路３０２のＣＰＵ３０４は、水晶発振器３１４が出力する所定周期のクロック信号をシステムクロックとして入力して動作する。さらには、ＣＰＵ３０４は、電源が投入されるとＲＯＭ３０６の所定エリアに格納された分周用のデータをカウンタタイマ３１２に送信し、カウンタタイマ３１２は受信した分周用のデータを基に割り込み時間を決定し、この割り込み時間ごとに割り込み要求をＣＰＵ３０４に送信する。ＣＰＵ３０４は、この割込み要求を契機に各センサ等の監視や駆動パルスの送信を実行する。例えば、水晶発振器３１４が出力するクロック信号を８ＭＨｚ、カウンタタイマ３１２の分周値を１／２５６、ＲＯＭ３０６の分周用のデータを４７に設定した場合、割り込みの基準時間は、２５６×４７÷８ＭＨｚ＝１．５０４ｍｓとなる。
【００２９】
基本回路３０２は、０〜６５５３５の範囲で数値を変動させるハードウェア乱数カウンタとして使用している乱数発生回路３１６と、電源が投入されると起動信号（リセット信号）を出力する起動信号出力回路３３８を設けており、ＣＰＵ３０４は、この起動信号出力回路３３８から起動信号を入力した場合に、遊技制御を開始する。
【００３０】
また、電圧を監視する電圧監視回路３３０と、ＷＤＴ３１３（ウォッチドッグタイマー）が設けられている。
【００３１】
また、基本回路３０２には、センサ回路３２０を設けており、ＣＰＵ３０４は、割り込み時間ごとに各種センサ３１８（ベットボタン１３１センサ、ベットボタン１３２センサ、メダル投入口１４１から投入されたメダルのメダル受付センサ、スタートレバー１３５センサ、ストップボタン１３７センサ、ストップボタン１３８センサ、ストップボタン１３９センサ、精算ボタン１３４センサ、メダル払出装置１８０から払い出されるメダルのメダル払出センサ、リール１１０のインデックスセンサ、リール１１１のインデックスセンサ、リール１１２のインデックスセンサ、等）の状態を監視している。なお、上述したリセット検知用センサ２８４及び扉開放用検知センサ２８５もこのセンサ回路３２０で監視される。
【００３２】
なお、センサ回路３２０がスタートレバーセンサのＨレベルを検出した場合には、この検出を示す信号を乱数発生回路３１６に出力する。この信号を受信した乱数発生回路３１６は、そのタイミングにおける値をラッチし、抽選に使用する乱数値を格納するレジスタに記憶する。
【００３３】
メダル受付センサは、メダル投入口１４１の内部通路に２個設置されており、メダルの通過有無を検出する。スタートレバー１３５センサは、スタートレバー１３５内部に２個設置されており、遊技者によるスタート操作を検出する。ストップボタン１３７センサ、ストップボタン１３８センサ、および、ストップボタン１３９は、各々のストップボタン１３７乃至１３９に設置されており、遊技者によるストップボタンの操作を検出する。
【００３４】
ベットボタン１３１センサおよびベットボタン１３２センサは、ベットボタン１３１、１３２のそれぞれに設置されており、ＲＡＭ３０８に電子的に貯留されているメダルを遊技への投入メダルとして投入する場合の投入操作を検出する。精算ボタン１３４センサは、精算ボタン１３４に設けられている。精算ボタン１３４が一回押されると、電子的に貯留されているメダルを精算する。メダル払出センサは、メダル払出装置１８０が払い出すメダルを検出するためのセンサである。なお、以上の各センサは、非接触式のセンサであっても接点式のセンサであってもよい。
【００３５】
リール１１０のインデックスセンサ、リール１１１のインデックスセンサ、および、リール１１２のインデックスセンサは、各リール１１０乃至１１２の取付台の所定位置に設置されており、リールフレームに設けた遮光片が通過するたびにＬレベルになる。ＣＰＵ３０４は、この信号を検出すると、リールが１回転したものと判断し、リールの回転位置情報をゼロにリセットする。
【００３６】
主制御部３００は、リール装置１１０乃至１１２に設けたステッピングモータを駆動する駆動回路３２２を設けており、投入されたメダルを選別するメダルセレクタ１７０に設けたソレノイドを駆動する駆動回路３２４を設けており、メダル払出装置１８０に設けたモータを駆動する駆動回路３２６を設けており、各種ランプ３３８（入賞ライン表示ランプ１２０、告知ランプ１２３、遊技メダル投入可能ランプ１２４、再遊技ランプ１２２、遊技メダル投入ランプ１２９は、遊技開始ランプ１２１、貯留枚数表示器１２５、遊技情報表示器１２６、払出枚数表示器１２７）を駆動する駆動回路３２８を設けている。
【００３７】
また、基本回路３０２には、情報出力回路３３４（外部集中端子板２４８）を接続しており、主制御部３００は、この情報出力回路３３４を介して、外部のホールコンピュータ（図示省略）等が備える情報入力回路６５２にスロットマシン１００の遊技情報（例えば、遊技状態）を出力する。
【００３８】
また、主制御部３００は、第１副制御部４００にコマンドを送信するための出力インタフェースを備えており、第１副制御部４００との通信を可能としている。なお、主制御部３００と第１副制御部４００との情報通信は一方向の通信であり、主制御部３００は第１副制御部４００にコマンド等の信号を送信できるように構成しているが、第１副制御部４００からは主制御部３００にコマンド等の信号を送信できないように構成している。
【００３９】
次に、スロットマシン１００の第１副制御部４００について説明する。第１副制御部４００は、主制御部３００が送信した制御コマンドを入力インタフェースを介して受信し、この制御コマンドに基づいて第１副制御部４００の全体を制御する基本回路４０２を備えており、この基本回路４０２は、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２を搭載している。基本回路４０２のＣＰＵ４０４は、水晶発振器４１４が出力する所定周期のクロック信号をシステムクロックとして入力して動作し、第１副制御部４００の全体を制御するための制御プログラム及びデータ、バックライトの点灯パターンや各種表示器を制御するためのデータ等が記憶されたＲＯＭ４０６が設けている。
【００４０】
ＣＰＵ４０４は、所定のタイミングでデータバスを介してＲＯＭ４０６の所定エリアに格納された分周用のデータをカウンタタイマ４１２に送信する。カウンタタイマ４１２は、受信した分周用のデータを基に割り込み時間を決定し、この割り込み時間ごとに割り込み要求をＣＰＵ４０４に送信する。ＣＰＵ４０４は、この割込み要求のタイミングをもとに、各ＩＣや各回路を制御する。
【００４１】
また、第１副制御部４００には、音源ＩＣ４１８を設けており、音源ＩＣ４１８に出力インタフェースを介してスピーカ２７２、２７７を設けている。音源ＩＣ４１８は、ＣＰＵ４０４からの命令に応じてアンプおよびスピーカ２７２、２７７から出力する音声の制御を行う。音源ＩＣ４１８には音声データが記憶されたＳ−ＲＯＭ（サウンドＲＯＭ）が接続されており、このＲＯＭから取得した音声データをアンプで増幅させてスピーカ２７２、２７７から出力する。
【００４２】
また、第１副制御部４００には、駆動回路４２２が設けられ、駆動回路４２２に入出力インタフェースを介して各種ランプ４２０（上部ランプ、下部ランプ、サイドランプ１４４、タイトルパネル１６２ランプ、等）を設けている。また主制御部３００から送信されてきたエラー解除パターンの送信コマンドに基づく解除パターン表示ＬＥＤ２９０への解除パターン表示も、駆動回路４２２にて行なわれる。
【００４３】
また、ＣＰＵ４０４は、出力インタフェースを介して第２副制御部５００へ信号の送受信を行う。スロットマシン１００の第２副制御部５００では、演出画像表示装置１５７や各種演出用駆動装置１６５の制御を行う。第２副制御部５００は、例えば、液晶表示装置１５７の制御を行う制御部、各種演出用駆動装置１６５の制御を行う制御部とするなど、複数の制御部で構成するようにしてもよい。第２副制御部は、演出画像表示装置１５７の表示制御を行ったり、演出用の駆動装置１６５を制御したりする。
【００４４】
次に、図４及び図５を用いて、本実施形態におけるキャンセルシュートについて説明する。なお、図４は、前面扉１０２とキャンセルシュート７０１の組付図、図５はキャンセルシュート７０１の斜視図である。
【００４５】
図４に示すように、キャンセルシュート７０１は、前面扉１０２の背面側に固着される、図５に示すように、キャンセルシュート７０１は、セレクタ１７０において選別されて落下してくる非正規メダルや異物などを受け入れる受入部７０２と、非正規メダル等を下部に導く案内通路７０３と、受け皿１６１に接続される排出部７０４とで構成されており、複数の穴部７２０が設けられている。
【００４６】
次に、図６を用いて、キャンセルシュート７０１の構造を説明する。
【００４７】
図６（ａ）に示すように、受入部７０２は、受入部中側面部７０５の端部に受入部左側面部７０６と受入部右側面部７０７を立設することでコの字状に形成にされており、受入部中側面部７０５は、図６（ｃ）に示すように、受入部７０２の開口面積を大きく確保するために、上部が外側に開いた構造となっている。なお、受入部中側面部７０５に対向する面には何も設けられていないが、この面は前面扉１０２と接することで、前面扉１０２の裏面が側面部の役割を果たすので、落下物が外部に出てしまうことはない。案内通路７０３は、図６（ｂ）に示すように、受入部中側面部７０５と接する案内通路側面部７０８と、受入部右側面部７０７と接する案内通路底面部７１０と、受入部左側面部７０６と接する案内通路上面部７０９にてコの字形状に構成されている。また、案内通路側面部７０８、案内通路底面部７１０、案内通路上面部７０９には、本発明の特徴部分である穴部７２０が複数設けられており、針金などのゴト器具の先端をキャンセルシュート７０１外に誘導する機能を有している。詳細は後述する。排出部７０４は、案内通路側面部７０８と接する排出部底面部７１１と、案内通路上面部７０９と接する排出部左側面部７１２と、案内通路底面部７１０と接する排出部右側面部７１３にてコの字形状に構成されている。
【００４８】
これらの、受入部７０２、案内通路７０３、排出部７０４は、それぞれが屈曲するように接続されており、キャンセルシュート７０１全体で見ると、受入部７０２及び排出部７０４は連通方向が垂直方向であるが、案内通路７０３は連通方向が右斜め下方向となるように構成されている。よって、針金などのゴト器具を一直線にセレクタ１７０に到達することは出来ず、特に案内通路７０３においていずれかの壁面に接触させないと受入部７０１まで到達できないような構造となっており、しかも案内通路の屈曲部には、案内通路側面部７０８、案内通路底面部７１０、案内通路上面部７０９全ての壁面において穴部７２０が設けられており、ゴト器具をセレクタ１７０まで到達させるためには屈曲部で方向を変えなければならないが、その場合、屈曲部周辺に設けられた穴部２１０のいずれかにゴト器具の先端が入りやすいように構成されている。
【００４９】
次に、穴部７２０の詳細を図７から図１１を用いて説明する。図７（ａ）は、図７（ｂ）におけるキャンセルシュート７０１のＡ−Ａ断面図である。排出部７０４から挿入された針金などのゴト器具の先端部は、図７（ｂ）中の矢印に示すように、案内通路上面部７０９を沿うように上方に移動して受入部７０２まで到達し、受入部７０２の上部にあるセレクタ１７０（図示せず）に対して不正行為を働くのが一般的である。よって、本実施形態では、案内通路上面部７０９に複数の案内通路上面部穴部７２１を設け、ゴト器具の先端部がキャンセルシュート７０１外部に逃げてしまうように構成した。この穴部は、正規な大きさのメダルよりも小さく形成されているので、正規なメダルがキャンセルシュート７０１の外部に落ちてしまうことはない。また案内通路上面部７０９以外の案内通路側面部７０８及び案内通路底面部７１０についても、複数の案内通路側面部穴部７２２及び案内通路底面部穴部７２３を複数設けており、うまくゴト器具を案内通路上面部７０９以外の壁面を利用して挿入しようとしても、それぞれの穴部からゴト器具の先端が外部に逃げるような構成としている。ここで穴部７２０の大きさが広い程、ゴト器具を確実に外部に逃がすことが可能であるので、キャンセルシュート７０１の強度に問題がない程度に、壁面部の総面積よりも穴部７２０の総面積を大きく構成することで、より確実なゴト行為の防止が実現できる。更には、図７（ｂ）に示すように、穴部を網状に設ければ、強度を保ちつつ、穴部の総面積を確保できるのでより効果的である。
【００５０】
また図１０（ａ）に示すように、図７（ａ）における案内通路上面部穴部７２１の点線丸囲みＤ部において、針金などのゴト器具を排出部７０４から挿入した場合に、案内通路上面部穴部７２１の断面形状を、ゴト器具の挿入方向に対して順方向になるように斜め方向に穴部を設ければ、矢印に示すように、穴部の壁にゴト器具が引っかかることなくよりスムーズにキャンセルシュート外部に排出することが可能となる。
【００５１】
図８（ｂ）は、図８（ａ）におけるキャンセルシュート７０１のＢ−Ｂ断面図である。案内通路上面部７０９においても、複数の案内通路上面部穴部７２１が設けられ、また案内通路底面部７１０においても、複数の案内通路底面部穴部７２３が設けられている。
【００５２】
また、図１０（ｂ）に示すように、案内通路上面部穴部７２１の断面形状を、案内通路上面部７０９が斜め上方に形成されているのに合わせて、斜め上方に平行四辺形の形状で設けている。よって、ゴト器具を案内通路上面部に這わせてキャンセルシュート上部に導こうとすると、キャンセルシュート７０１の外部に導かれやすく、不正行為を確実に防止できる。
【００５３】
また本実施例のキャンセルシュート７０１は、メダル払出装置１８０から払い出されたメダルを受け皿１６１に排出するための通路の役割も兼用しており、払出装置１８０から払い出されたメダルは、払出口７１５からキャンセルシュート７０１内に放出される。よって、排出部左側面部７１２に排出部左側面部穴部７２４や、排出部右側面部７１３に排出部右側面部穴部７２５を設けることにより、払出装置１８０への不正行為をも防止することが可能な構成となっている。
【００５４】
図９（ｂ）は、図９（ａ）におけるキャンセルシュート７０１のＣ−Ｃ断面図である。案内通路上面部７０９に、複数の案内通路上面部穴部７２１が設けられ、また案内通路側面部７０８に、案内通路側面部穴部７２２が設けられている。
【００５５】
また、案内通路側面部穴部７２２の断面形状を、上側を斜め上方にカットした形状としている。よって図１１に示すように、排出部７０４から挿入し、案内通路側面部７０８を沿って上方に導こうとしたゴト器具を、スムーズにキャンセルシュート７０１外部に排出することができる。また、ゴト器具を案内通路７０８にて一度跳ね返しつつ、案内通路上面部７０９を沿わせて上方に誘導しようとしても、案内通路上面部穴部７２１の断面形状を、跳ね返る方向に対して斜め方向にカットして構成しているので、この場合もスムーズにゴト器具をキャンセルシュート７０１外部に排出することができる。
【００５６】
なお、穴部７２０の形状は、上述したように、単純に貫通穴を設けた場合や、ゴト器具の誘導方向に合わせて斜めに構成した場合の他にも、図１２に示すように、穴部７２０に段差を設けて、その段差に穴部を設けて、ゴト器具を外部に排出しやすくしてもよい。この場合、上方から流下してくるメダルなどに対しては、流下方向とは逆の下方向に穴部が設けられているので、流下してきたメダルより大きな穴部を設けてもよく、より確実にゴト器具を外部に排出可能である。
【００５７】
以上のように、本発明の遊技台は、投入された遊技媒体が正規なものであるか否かを判別するセレクタを備え、該セレクタにより正規な遊技媒体ではないと判別された非正規遊技媒体を受け皿に排出する排出手段を備えた遊技台であって、前記排出手段は、前記非正規遊技媒体を受け入れる受入部と、前記受け皿に前記非正規遊技媒体を排出する排出部と、前記受入部と前記排出部を連通させる案内通路を有し、該案内通路に、正規な前記遊技媒体が通過不可能な穴部を設けたことを特徴とした。
【００５８】
上述した実施形態では、キャンセルシュート７０１の案内通路７０３に、複数の穴部を設けた。
【００５９】
よって、針金などのゴト器具の先端を沿わせてキャンセルシュート７１０上部まで導こうとしても、穴部からゴト器具の先端がキャンセルシュート７１０外部に飛び出てしまい、セレクタ１７０までゴト器具を到達させることができないので、ゴト行為を防止できる。
【００６０】
また、本発明の別の態様では、更に、前記案内通路は、上面部と、該上面部の端部に設けられた側面部を有し、前記上面部及び前記側面部に前記穴部を設けたことを特徴とした。
【００６１】
上述した実施形態では、案内通路７０２を構成する案内通路側面部７０８、案内通路上面部７０９に複数の穴部７２０を設けている。
【００６２】
よって、針金などのゴト器具の先端を沿わせる面を変更させてキャンセルシュート７１０上部まで導こうとしても、変更先の面にも穴部が設けられており、不正行為を働くことを困難にすることができる。
【００６３】
また、本発明の別の態様では、更に、前記案内通路は途中部分で屈曲し、該屈曲部分周辺に前記穴部を設けたことを特徴とした。
【００６４】
上述した実施形態では、受入部７０２、案内通路７０３、排出部７０４それぞれを屈曲するように接続している。
【００６５】
よって、ゴト器具をセレクタ１７０まで到達させるためには屈曲部で方向を変えなければならないが、その場合、屈曲部周辺に設けられた穴部２１０にゴト器具の先端が入りやすいので、確実にゴト行為を防止できる。
【００６６】
また、本発明の別の態様では、更に、前記案内通路は複数の前記穴部を有し、前記穴部が設けられている領域は、前記穴部以外の領域より広いことを特徴とした。
【００６７】
上述した実施形態では、案内通路７０３における壁面部の総面積よりも穴部７２０の総面積を大きくなるように構成した。
【００６８】
よって、ゴト器具を外部に排出可能な領域を大きく確保できるので、確実なゴト行為の防止が実現できる。
【００６９】
また、本発明の別の態様では、更に、複数の前記穴部を網状に設けたことを特徴とした。
【００７０】
上述した実施形態では、穴部７２０を複数設け、かつそれらの穴部を網状に設けた。
【００７１】
よって、広範囲に渡ってゴト行為の防止機能を備えることができ、かつ強度的な問題も解決できる。
【００７２】
また、本発明の別の態様では、更に、遊技媒体を払い出す払出装置を備え、該払出装置は、前記案内通路を経由して前記受け皿に前記遊技媒体を払いだすことを特徴とする。
【００７３】
上述した実施形態では、キャンセルシュート７０１に、メダル払出装置１８０から払い出されたメダルを受け皿１６１に排出するための通路の役割も兼用させ、払出装置１８０から払い出されたメダルは、払出口７１５からキャンセルシュート７０１内に放出されるように構成した。
【００７４】
よって、排出部左側面部７１２に排出部左側面部穴部７２４や、排出部右側面部７１３に排出部右側面部穴部７２５を設けることにより、払出装置１８０への不正行為も防止することが可能となる。
【００７５】
また、本発明の別の態様では、更に、前記穴部は、該穴部断面上流側において傾斜面を備えていることを特徴とする。
【００７６】
上述した実施形態では、例えば、案内通路側面部穴部７２２の断面形状を、上側を斜め上方にカットした形状としている。
【００７７】
よって排出部７０４から挿入し、案内通路側面部７０８を沿って上方に導こうとしたゴト器具を、スムーズにキャンセルシュート７０１外部に排出することができる。
【００７８】
また、本発明の別の態様では、更に、前記穴部は、前記排出口から前記受入口に向かう方向に対して開口部を持つ段差部を含んで構成されることを特徴とした。
【００７９】
上述した実施形態では、穴部７２０に段差を設けて、その段差に穴部を設けて、ゴト器具を外部に排出しやすく構成した。
【００８０】
よって上方から流下してくるメダルなどはキャンセルシュート７０１外部にこぼれ落ちることなく、また流下方向とは逆の下方向に穴部が設けられているので、流下してきたメダルより大きな穴部を設けてもよく、より確実にゴト器具を外部に排出可能となる。
【００８１】
本発明は、少なくとも投入された遊技媒体が正規なものであるか否かを判別するセレクタと、前記セレクタから排出された前記遊技媒体を受け皿に導く排出手段と、を備えた遊技台であって、前記排出手段は、前記遊技媒体を受け入れる受入部と、前記受け皿に前記遊技媒体を排出する排出部と、前記受入部と前記排出部を連通し、前記受入部より受け入れた遊技媒体を斜め下方に落下させながら所定の落下経路に沿って前記排出部に導く案内通路と、を備え、前記案内通路における上面（例えば案内通路上面部７０９）には、前記排出部から前記案内通路の中に挿入されたゴト器具の先端が進入可能な開口（案内通路上面部穴部７２１の開口）が複数形成されており、前記開口は、該開口の断面が、前記ゴト器具の先端を前記案内通路から外側に導く傾斜面（例えば図１０参照）とされている、ことを特徴とする遊技台とした。
また本発明は、少なくとも投入された遊技媒体が正規なものであるか否かを判別するセレクタと、前記セレクタから排出された前記遊技媒体を受け皿に導く排出手段と、を備えた遊技台であって、前記排出手段は、前記遊技媒体を受け入れる受入部と、前記受け皿に前記遊技媒体を排出する排出部と、前記受入部と前記排出部を連通し、前記受入部より受け入れた遊技媒体を斜め下方に落下させながら所定の落下経路に沿って前記排出部に導く案内通路と、を備え、前記案内通路は複数の壁面で構成されており、前記案内通路における壁面には、前記排出部から前記案内通路の中に挿入されたゴト器具の先端が進入可能な開口（例えば案内通路上面部穴部７２１の開口や案内通路側面部穴部７２２の開口や案内通路底面部穴部７２３の開口）が複数形成されており、前記案内通路における少なくとも一つの前記壁面において、前記開口が設けられている領域は、前記開口以外の領域より広い、ことを特徴とする遊技台とした。
以上、本発明の実施例を説明したが、具体例を例示したに過ぎず、特に本発明を限定するものではない。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【産業上の利用可能性】
【００８２】
本発明は、スロットマシン、パチンコ機等に代表される遊技台に適用することが可能である。
【符号の説明】
【００８３】
１００・・・スロットマシン
７０１・・・キャンセルシュート
７０２・・・受入部
７０３・・・案内通路
７０４・・・排出部
【図１】
0005644512.tif 000002
【図２】
0005644512.tif 000003
【図３】
0005644512.tif 000004
【図４】
0005644512.tif 000005
【図５】
0005644512.tif 000006
【図６】
0005644512.tif 000007
【図７】
0005644512.tif 000008
【図８】
0005644512.tif 000009
【図９】
0005644512.tif 000010
【図１０】
0005644512.tif 000011
【図１１】
0005644512.tif 000012
【図１２】
0005644512.tif 000013